(57)【要約】【課題】支柱に対し止着する作業が簡単かつ容易に行えるようにして作業効率の向上を図ることができる足場ユニットを提供する。  【解決手段】円形状の支柱Ｓに対し周方向から包囲して止着される足場ユニット１に、一枚の金属板より切り抜いた切り抜き片を断面略コの字状に折曲して形成した足場ユニット本体１０を備える。足場ユニット本体１０に、支柱Ｓの外周面に押し当てた際に略半円弧の湾曲形状に塑性変形される第１湾曲部１１を底部片１２，１２の中央に備え、各底部片１２の一側折曲片１３及び他側折曲片１４の第２湾曲部１５を第１湾曲部１１と共に支柱Ｓに対しそれぞれ密着させるように、支柱Ｓの半径と略一致する短手方向長さに設定した両一側折曲片１３及び両他側折曲片１４の外側寄り部分１７の互いの一側及び他側折曲部３１，３２同士を対峙させた状態で両底部片１２の第１湾曲部１１側端部同士の間をボルト部材２１により締め付ける。【選択図】図１
2019183395.tif 000002
【特許請求の範囲】
【請求項１】
円形状の外周面を有する支柱に対し周方向から包囲した状態で止着する足場ユニットであって、
断面略コの字状に形成された足場ユニット本体を備え、
前記足場ユニット本体は、
前記支柱の外周面に押し当てた際にその支柱の外周面の略半円弧分に対し密着した状態で略半円弧の湾曲形状に予め塑性変形されるように前記足場ユニット本体の底部を長手方向へ延びる第１湾曲部を長手方向中間部に挟んだ状態で当該第１湾曲部の長手方向一側及び長手方向他側をそれぞれ長手方向へ延びる底部片と、
前記両底部片の短手方向一側辺よりそれぞれ略直角に折曲された一側折曲片と、
前記両底部片の短手方向他側辺より前記両一側折曲片と対向するようにそれぞれ略直角に折曲された他側折曲片と、
前記両一側折曲片及び前記両他側折曲片の第１湾曲部側端部にそれぞれ設けられ、前記第１湾曲部を塑性変形した際に残る前記支柱の外周面の残り略半円弧分のうちの略四分の一円弧分ずつに対し当該支柱の外周面に沿ってそれぞれ密着するように湾曲する第２湾曲部と、
を備えており、
前記両一側折曲片及び前記両他側折曲片は、前記支柱の半径と略一致する短手方向長さに設定され、
前記各第２湾曲部の近傍に位置する前記両底部片の第１湾曲部側端部には、前記第１湾曲部を塑性変形した際に前記両一側折曲片及び前記両他側折曲片の互いの反底部片側端同士を対峙させた状態で前記支柱の外周面に対し前記第１及び第２湾曲部を強固に密着させるように締め付ける締結部材を挿通する挿通孔が設けられていることを特徴とする足場ユニット。
【請求項２】
前記両一側折曲片は、前記第１湾曲部を塑性変形した際に、互いの反底部片側端を互いに向き合うように折曲させた一側折曲部を有し、かつその一側折曲部同士を対峙した状態で圧接させて足場としての機能を有している一方、
前記両他側折曲片は、前記第１湾曲部を塑性変形した際に、互いの反底部片側端を互いに向き合うように折曲させた他側折曲部を内側寄り部分に備えているとともに、その外側寄り部分において互いの反底部片側端同士を離間させた状態で前記両一側折曲片側へ折れ曲がるリップ部を備え、この両リップ部に対し脚部が係止された状態で前記両他側折曲片の短手方向へ延びる長尺材を支持する支持具の支持レールとしての機能を有している請求項１に記載の足場ユニット。
【請求項３】
前記両一側折曲片及び底部片の反第１湾曲部側端には、前記第１湾曲部を塑性変形した状態で短手方向に連続する切欠凹部が設けられている請求項１又は請求項２に記載の足場ユニット。
【請求項４】
前記第１湾曲部は、当該第１湾曲部を短手方向に複数の第１湾曲部分に分割するように長手方向へ延びるスリットを備えている請求項１〜請求項３のいずれか１つに記載の足場ユニット。
【発明の詳細な説明】
【技術分野】
【０００１】
本発明は、円形状の外周面を有する支柱に対し周方向から包囲した状態で止着する足場ユニットに関する。
【背景技術】
【０００２】
この種の足場ユニットとしては、電柱などの支柱に対し当接するベース部を踏み板部の基端に備えているとともに、所定角度内で上下揺動自在に枢着されて支柱に対し突張る突張り脚部を踏み板部の下部に備え、ベース部の一側に一端が取り付けられた帯状の巻回ベルトを支柱に回し、その支柱に回した巻回ベルトの他端をベース部の他側に設けられた巻取操作具により１ピッチずつ巻き取り操作することで、支柱に対し踏み板部を巻回ベルトの緊締により周方向から止着するようにしたものが知られている（特許文献１参照）。
【先行技術文献】
【特許文献】
【０００３】
【特許文献１】特許第２５３０１０１号公報
【発明の概要】
【発明が解決しようとする課題】
【０００４】
しかし、前記従来のものでは、巻回ベルト自体が可撓性を有するものであるため、高所で巻回ベルトに手を添えながら支柱に巻回ベルトを回す作業が非常に遣り難い上、支柱に回した巻回ベルトの他端を巻取操作具に対し巻き取り可能に係合させる作業も非常に煩わしく、足場ユニットを支柱に対し止着する際の作業効率が著しく悪いものとなる。
【０００５】
本発明は、かかる点に鑑みてなされたものであり、その目的とするところは、支柱に対し周方向から止着する作業が簡単かつ容易に行えるようにして止着する際の作業効率の向上を図ることができる足場ユニットを提供することにある。
【課題を解決するための手段】
【０００６】
前記目的を達成するため、本発明では、円形状の外周面を有する支柱に対し周方向から包囲した状態で止着する足場ユニットを前提とし、断面略コの字状に形成された足場ユニット本体を備える。更に、前記足場ユニット本体に、前記支柱の外周面に押し当てた際にその支柱の外周面の略半円弧分に対し密着した状態で略半円弧の湾曲形状に予め塑性変形されるように前記足場ユニット本体の底部を長手方向へ延びる第１湾曲部を長手方向中間部に挟んだ状態で当該第１湾曲部の長手方向一側及び長手方向他側をそれぞれ長手方向へ延びる底部片と、前記両底部片の短手方向一側辺よりそれぞれ略直角に折曲された一側折曲片と、前記両底部片の短手方向他側辺より前記両一側折曲片と対向するようにそれぞれ略直角に折曲された他側折曲片と、前記両一側折曲片及び前記両他側折曲片の第１湾曲部側端部にそれぞれ設けられ、前記第１湾曲部を塑性変形した際に残る前記支柱の外周面の残り略半円弧分のうちの略四分の一円弧分ずつに対し当該支柱の外周面に沿ってそれぞれ密着するように湾曲する第２湾曲部と、を備える。そして、前記両一側折曲片及び前記両他側折曲片を、前記支柱の半径と略一致する短手方向長さに設定し、前記各第２湾曲部の近傍に位置する前記両底部片の第１湾曲部側端部に、前記第１湾曲部を塑性変形した際に前記両一側折曲片及び前記両他側折曲片の互いの反底部片側端同士を対峙させた状態で前記支柱の外周面に対し前記第１及び第２湾曲部を強固に密着させるように締め付ける締結部材を挿通する挿通孔を設けることを特徴としている。
【０００７】
また、前記両一側折曲片は、前記第１湾曲部を塑性変形した際に、互いの反底部片側端を互いに向き合うように折曲させた一側折曲部を備え、かつその一側折曲部同士を対峙した状態で圧接させて足場としての機能を有している一方、前記両他側折曲片は、前記第１湾曲部を塑性変形した際に、互いの反底部片側端を互いに向き合うように折曲させた他側折曲部を内側寄り部分に備えているとともに、外側寄り部分において互いの反底部片側端同士を離間させた状態で前記両一側折曲片側へ折れ曲がるリップ部を備え、この両リップ部に対し脚部が係止された状態で前記両他側折曲片の短手方向へ延びる長尺材を支持する支持具の支持レールとしての機能を有していてもよい。
【０００８】
また、前記両一側折曲片及び底部片の反第１湾曲部側端に、前記第１湾曲部を塑性変形した状態で短手方向に連続する切欠凹部を設けていてもよい。
【０００９】
更に、前記第１湾曲部に、当該第１湾曲部を短手方向に複数の第１湾曲部分に分割するように長手方向へ延びるスリットを設けていてもよい。
【発明の効果】
【００１０】
以上、要するに、支柱の外周面の略半円弧分に対し密着するように足場ユニット本体の底部片の長手方向中間部の第１湾曲部を支柱の外周面に押し当てた際に略半円弧の湾曲形状に予め塑性変形しておくことで、可撓性を有する巻回ベルトに高所で手を添えながら支柱に回す作業が不要となる。その上、支柱の半径と略一致する短手方向長さの両一側折曲片及び両他側折曲片の反底部片側同士を対峙させた状態で両底部片の第１湾曲部側端部の挿通孔に挿通した締結部材により締め付ければ、第１湾曲部並びに両一側折曲片及び両他側折曲片の第２湾曲部同士がそれぞれ強固に密着するので、巻回ベルトの他端を巻取操作具に対し巻き取り可能に係合させる作業も不要となる。これにより、支柱に対し足場ユニットを周方向から止着する作業が簡単かつ容易に行えることになり、足場ユニットを支柱に対し止着する際の作業効率の向上を図ることができる。
【００１１】
また、両一側折曲片にその互いの反底部片側端の一側折曲部同士及び両他側折曲片の反底部片側端の内側寄り部分の他側折曲部同士を対峙させた状態で圧接させて足場としての機能を備える一方、両他側折曲片の外側寄り部分にその互いの反底部片側端同士を離間させた状態で両一側折曲片側へ折れ曲がるリップ部に対し脚部が係止された状態で長尺材を支持する支持具の支持レールとしての機能を備えることで、配管やダクトなどの長尺材を支持する支持具の支持レールとしても足場ユニットを併用でき、実施する上で非常に有利なものとなる。
【００１２】
また、第１湾曲部を塑性変形した状態で短手方向に連続する切欠凹部を両一側折曲片及び底部片の反第１湾曲部側端に設けることで、足場として用いた足場ユニットの切欠凹部にペンキなどの缶材や作業道具などの持ち手を引っ掛けておくことも可能となり、作業効率の向上に貢献することもできる。
【００１３】
更に、第１湾曲部に当該第１湾曲部を短手方向に複数の第１湾曲部分に分割するように長手方向へ延びるスリットを設けることで、スリットにより分割された複数の第１湾曲部分が個々に略半円弧状に湾曲変形して支柱の外周面に沿って緊密に密着し、支柱の外周面に対する各第１湾曲部分の密着度がより一層高められることになる。これにより、支柱に対し足場ユニットを止着する作業がより簡単かつ容易に行えることになり、足場ユニットを支柱に対し止着する際の作業効率の向上をさらに図ることができる。
【図面の簡単な説明】
【００１４】
【図１】本発明の実施の形態に係る足場ユニットを足場として利用する場合の第１湾曲部を塑性変形する前の状態での足場ユニット本体の斜視図及び第１湾曲部を塑性変形して支柱に対し止着した状態での足場ユニット本体の斜視図である。
【図２】図１の足場ユニット本体を金属板から切り抜いて第１湾曲部を塑性変形する前の状態を示す正面図である。
【図３】図２の足場ユニット本体の背面図である。
【図４】図２の足場ユニット本体の平面図である。
【図５】図２の足場ユニット本体の底面図である。
【図６】図２の足場ユニット本体の右側面図である。
【図７】図２の第１湾曲部を塑性変形した状態を示す足場ユニット本体の正面図である。
【図８】図７の足場ユニット本体の平面図である。
【図９】図７の足場ユニット本体の底面図である。
【図１０】図７の足場ユニット本体の右側面図である。
【図１１】図７の足場ユニット本体の左側面図である。
【図１２】図１の足場ユニットを支持具の支持レールとして利用する場合の第１湾曲部を塑性変形して支柱に対し止着する状態を示す斜視図である。
【図１３】図１２の第１湾曲部を塑性変形する前の状態を示す足場ユニット本体の斜視図及び第１湾曲部を塑性変形して支柱に対し止着する状態を示す足場ユニット本体の分解斜視図である。
【図１４】図１２の支持具の正面図である。
【図１５】図１４の支持具の底面図である。
【図１６】図１４の支持具の右側面図である。
【発明を実施するための形態】
【００１５】
以下、本発明の実施の形態に係る足場ユニットを図面に基づいて説明する。
【００１６】
図１は本発明の実施の形態に係る足場ユニットを足場として利用する場合の第１湾曲部を塑性変形する前の状態での足場ユニット本体の斜視図及び第１湾曲部を塑性変形して支柱に対し止着した状態での足場ユニット本体の斜視図をそれぞれ示している。この図１において、符号１で示す足場ユニットは、円形状の外周面を有する支柱Ｓに対し周方向から包囲した状態で止着するものであって、図示しない一枚の金属板より切り抜いた切り抜き片を断面略コの字状に折曲して形成された足場ユニット本体１０を備えている。この場合、金属板としては、板状の状態のままであれば、湾曲する外周面を有する対象物（支柱Ｓ）に対し押し当てた際に当該対象物の外周面に則して容易に湾曲形状に塑性変形するような材質のものが適用されている。
【００１７】
図２は図１の足場ユニット本体１０を金属板から切り抜いて第１湾曲部を塑性変形する前の状態を示す正面図、図３は図２の足場ユニット本体１０の背面図をそれぞれ示している。また、図４は図２の足場ユニット本体１０の平面図、図５は図２の足場ユニット本体１０の底面図、図６は図２の足場ユニット本体１０の右側面図をそれぞれ示している。
【００１８】
図２〜図６にも示すように、足場ユニット本体１０は、当該足場ユニット本体１０の底部を長手方向（図２〜図５では左右方向）へ延びる第１湾曲部１１と、この第１湾曲部１１を長手方向中間部に挟んだ状態で当該第１湾曲部１１の長手方向一側及び長手方向他側をそれぞれ長手方向へ延びる底部片１２，１２とを備えている。第１湾曲部１１は、円形状の外周面を呈する支柱Ｓ（後述する対象物）に対し押し当てた際に当該支柱Ｓの外周面に則して容易に湾曲形状に塑性変形し易い平板状に形成され、支柱Ｓの外周面に押し当てた際に当該支柱Ｓの外周面の略半円弧分に対し密着するように半円弧の湾曲形状に予め塑性変形される。
【００１９】
また、足場ユニット本体１０は、両底部片１２，１２の短手方向一側辺（図２〜図４及び図６では下側辺）よりそれぞれ略直角に折曲された一側折曲片１３，１３を備えている。更に、足場ユニット本体１０は、両底部片１２の短手方向他側辺（図２〜図４及び図６では上側辺）よりそれぞれ両一側折曲片１３，１３と対向するように略直角に折曲された他側折曲片１４，１４を備えている。また、足場ユニット本体１０は、両一側折曲片１３，１３及び両他側折曲片１４，１４の第１湾曲部１１側端（内側端）にそれぞれ設けられた第２湾曲部１５，１５を備えている。
【００２０】
各第２湾曲部１５は、第１湾曲部１１が支柱Ｓに密着した際に残る支柱Ｓの外周面の残り略半円弧分のうちの半分となる略四分の一円弧分ずつに対し当該支柱Ｓの外周面に沿ってそれぞれ密着するように略四分の一円弧状に湾曲している。また、各第２湾曲部１５は、第１湾曲部１１が支柱Ｓに密着した際に残る支柱Ｓの外周面の残り略半円弧分のうちの略四分の一円弧分よりも若干小さい円弧分に設定されている。この場合、支柱Ｓの外周面に対し密着する第１湾曲部１１及び各第２湾曲部１５は、支柱Ｓの外周面の曲率と同じ曲率に形成されている。
【００２１】
図７は図２の第１湾曲部１１を塑性変形した状態を示す足場ユニット本体１０の正面図、図８は図７の足場ユニット本体１０の平面図をそれぞれ示している。また、図９は図７の足場ユニット本体１０の底面図、図１０は図７の足場ユニット本体１０の右側面図、図１１は図７の足場ユニット本体１０の左側面図をそれぞれ示している。更に、図１２は図１の足場ユニット１を支持具の支持レールとして利用する場合の第１湾曲部１１を塑性変形して支柱Ｓに対し止着する状態を示す斜視図、図１３は図１２の第１湾曲部１１を塑性変形する前の状態を示す足場ユニット本体１０の斜視図及び第１湾曲部１１を塑性変形して支柱Ｓに対し止着する状態を示す足場ユニット本体１０の分解斜視図をそれぞれ示している。
【００２２】
図７〜図１１にも示すように、両一側折曲片１３，１３は、支柱Ｓの半径と略一致する短手方向長さに設定されている。一方、両他側折曲片１４，１４は、各第２湾曲部１５の近傍に位置する内側寄り部分１６，１６においてのみ支柱Ｓの半径と略一致する短手方向長さに設定されている。そして、図１２及び図１３に示すように、両他側折曲片１４，１４の内側寄り部分１６に対応する両底部片１２，１２の第１湾曲部１１側端部には、締結部材としてのボルト部材２１を挿通する略矩形状の挿通孔２２，２２がそれぞれ設けられている。このボルト部材２１は、支柱Ｓの外周面に対し第１湾曲部１１及び各第２湾曲部１５を強固に密着させるように、両一側折曲片１３，１３及び両他側折曲片１４，１４の内側寄り部分１６の互いの反底部片１２側端同士の間を、互いに対峙させた状態でワッシャ２３及びスプリングワッシャ２４を介してナット部材２５により締め付けている。
【００２３】
両一側折曲片１３，１３は、第１湾曲部１１を塑性変形した際に互いの反底部片１２側端を互いに向き合うように折曲する一側折曲部３１をそれぞれ備えている。一方、両他側折曲片１４，１４の内側寄り部分１６も、第１湾曲部１１を塑性変形した際に互いの反底部片１２側端を互いに向き合うように折曲する他側折曲部３２をそれぞれ備えている。そして、両一側折曲片１３，１３の一側折曲部３１及び両他側折曲片１４，１４の内側寄り部分１６の他側折曲部３２は、互いの反底部片１２側端同士を対峙させた際のズレをそれぞれの折曲部３１，３２同士の当接により確実に防止して円滑に圧接され、両一側折曲片１３，１３による足場としての機能を有している。
【００２４】
一方、両他側折曲片１４，１４の内側寄り部分１６よりも外側の外側寄り部分１７は、支柱Ｓの半径よりも小さい短手方向長さに設定され、互いの反底部片１２側端同士を離間させた状態で両一側折曲片１３，１３の一側折曲部３１側へ向くようにそれぞれ略６０°程度の鈍角に折れ曲がるリップ部３３，３３を備えている。この両リップ部３３，３３には、両他側折曲片１４，１４の短手方向へ延びる長尺材としての配管Ｈを支持する支持具４の脚部４１，４１，…が係止されている。
【００２５】
図１４は図１２の支持具４の正面図、図１５は図１４の支持具４の底面図、図１６は図１４の支持具４の右側面図をそれぞれ示している。図１４〜図１６に示すように、支持具４は、金属板により成形され、略長方形状の基体４２を備えている。また、各脚部４１は、基体４２の左右両側の前端（図１６では右端）及び後端（図１６では左端）よりそれぞれ略９０°屈曲されて延設され、それぞれの延設端に略３０°の傾斜角度で外向きに湾曲する湾曲片４３が設けられている。
【００２６】
この各湾曲片４３は、支持具４を両他側折曲片１４，１４の外側寄り部分１７に取り付ける際に各脚部４１と共に内向きに弾性変形し、各リップ部３３を乗り越えた際に当該各リップ部３３に対し係止される。また、各脚部４１のうちの前後の脚部４１，４１は略半円弧状のアーチ４４によってそれぞれ連結され、左右のアーチ４４，４４に配管Ｈを包持した状態でそれぞれ各湾曲片４３が各リップ部３３に係止されることで配管Ｈを支持している。このとき、両他側折曲片１４，１４の外側寄り部分１７は、配管Ｈを支持する支持具４の支持レールとしての機能を有している。
【００２７】
また、基体４２の中央には、下向きにねじの山数を確保するバーリング加工が施されたねじ孔部４５が設けられている。このねじ孔部４５にはねじ４６が螺着され、この螺着されるねじ４６の先端が、アーチ４４，４４に包持された配管Ｈを押圧して基体４２を配管Ｈに対し相対的に離間させることで、各リップ部３３に対する各脚部４１の湾曲片４３の係止をより強固にして足場ユニット本体１０に対する配管Ｈの支持強度が高められるようにしている。
【００２８】
更に、両一側折曲片１３，１３の反第１湾曲部１１側端には、第１湾曲部１１を塑性変形した状態で短手方向から見て略Ｕ字状に切り欠いた切欠凹部５１，５１が短手方向へ連続して設けられている。この切欠凹部５１に対応する両一側折曲片１３，１３の一側折曲部３１も切り欠かれている。
【００２９】
また、第１湾曲部１１の短手方向中央部には、当該第１湾曲部１１を短手方向に２つの第１湾曲部分１１１，１１１に分割するように長手方向へ延びるスリット４７が設けられている。このスリット４７は、第１湾曲部１１を短手方向に略三等分するような短手方向の寸法に設定されている。
【００３０】
したがって、本実施の形態では、断面略コの字状に折曲して形成した足場ユニット本体１０は、支柱Ｓの外周面の略半円弧分に対し密着するように底部片１２の長手方向中間部の第１湾曲部１１が支柱Ｓの外周面に押し当てた状態で略半円弧の湾曲形状に予め塑性変形されているので、可撓性を有する巻回ベルトに高所で手を添えながら支柱Ｓに回す作業が不要となる。その上、支柱Ｓの半径と略一致する短手方向長さの両一側折曲片１３，１３の一側折曲部３１，３１同士及び両他側折曲片１４，１４の内側寄り部分１６の他側折曲部３２，３２同士を対峙させた状態で底部片１２，１２の第１湾曲部１１側端部の挿通孔２２に挿通したボルト部材２１をワッシャ２３及びスプリングワッシャ２４を介してナット部材２５により締め付ければ、第１湾曲部１１並びに両一側折曲片１３，１３及び両他側折曲片１４，１４の第２湾曲部１５同士がそれぞれ強固に密着するので、巻回ベルトの他端を巻取操作具に対し巻き取り可能に係合させる作業も不要となる。これにより、支柱Ｓに対し足場ユニット１を周方向から止着する作業が簡単かつ容易に行えることになり、足場ユニット１を支柱Ｓに対し止着する際の作業効率の向上を図ることができる。
【００３１】
しかも、一枚の金属板より切り抜いた切り抜き片を断面略コの字状に折曲して足場ユニット本体１０を形成していることにより、足場ユニット本体１０を切り抜き片単体により構成して足場ユニット１の構造の簡素化及び低廉化に伴う生産性の向上を図ることができる。
【００３２】
また、足場ユニット１は、両一側折曲片１３，１３の互いの反底部片１２側端の一側折曲部３１，３１同士及び両他側折曲片１４，１４の内側寄り部分１６の他側折曲部３２，３２同士をそれぞれ対峙させた状態でボルト部材２１及びナット部材２５による締め付けにより圧接させて足場としての機能を両一側折曲片１３，１３に備えている。一方、両他側折曲片１４，１４の外側寄り部分１７の互いの反底部片１２側端同士を離間させた状態で一側折曲部３１側へ向くようにそれぞれ略６０°程度の鈍角に折れ曲がるリップ部３３，３３を両他側折曲片１４，１４に備えている。これにより、足場として用いた足場ユニット１を上下反転させると、両他側折曲片１４，１４の短手方向へ延びる配管Ｈなどを支持する支持具４の支持レールとしても併用でき、実施する上で非常に有利なものとなる。
【００３３】
また、第１湾曲部１１を塑性変形した状態で短手方向に連続する切欠凹部５１が両一側折曲片１３，１３及び底部片１２の反第１湾曲部１１側端に設けられているので、足場として用いた足場ユニット１の切欠凹部５１にペンキなどの缶材や作業道具などの持ち手を引っ掛けておくことも可能となり、作業効率の向上に貢献することもできる。
【００３４】
更に、第１湾曲部１１に当該第１湾曲部１１を短手方向に２つの第１湾曲部分１１１，１１１に分割するように長手方向へ延びるスリット４７が設けられているので、スリット４７により分割された２つの第１湾曲部分１１１，１１１が個々に略半円弧状に湾曲変形して支柱Ｓの外周面に沿って緊密に密着し、支柱Ｓの外周面に対する各第１湾曲部分１１１の密着度がより一層高められることになる。これにより、支柱Ｓに対し足場ユニット１を止着する作業がより簡単かつ容易に行えることになり、足場ユニット１を支柱Ｓに対し止着する際の作業効率の向上をさらに図ることができる。
【００３５】
なお、本発明は前記実施の形態に限定されるものではなく、その他種々の変形例を包含している。例えば、前記実施の形態では、一枚の金属板より切り抜いた切り抜き片を断面略コの字状に折曲して足場ユニット本体１０を形成したが、塑性変形可能な金属板や樹脂板により底部片のうちの少なくとも第１湾曲部が成形され、足場ユニット本体の残る部分が塑性変形不能でかつ剛性強度を備えた金属材や樹脂材などにより成形されていてもよい。
【００３６】
また、前記実施の形態では、第１湾曲部１１を短手方向に２つの第１湾曲部分１１１，１１１に分割するスリット４７を設けたが、支柱の外周面の略半円弧分に対し密着して塑性変形し易い材質であれば、スリットは必ずしも必要ではなく、複数の第１湾曲部分に分割されない単一の第１湾曲部であってもよい。これとは逆に、支柱の外周面の略半円弧分に対し密着して塑性変形し難い材質であれば、第１湾曲部を短手方向に３つ以上の第１湾曲部分に分割する２つ以上のスリットが設けられていてもよい。
【００３７】
また、本実施の形態では、長尺材として配管Ｈを適用したが、両他側折曲片の短手方向へ延びる長尺材であればなんでもよく、ダクトやケーブルなどであってもよい。
【００３８】
また、本実施の形態では、各第２湾曲部１５を支柱Ｓの外周面の略四分の一円弧分ずつにそれぞれ密着するように略四分の一円弧状に湾曲させたが、支柱の外周面の略四分の一円弧分ずつに対しそれぞれ断続的に密着するように歯状の突起部の先端を略四分の一円弧の湾曲状に並べた第２湾曲部であってもよい。
【００３９】
また、本実施の形態では、足場として用いた足場ユニット１を上下反転させて支持具４の支持レールとして用いたが、足場として用いた足場ユニットを上下反転させずにそのまま下面側に位置する両他側折曲片のリップ部を支持具の支持レールとして用いてもよい。
【００４０】
更に、本実施の形態では、比較的小径な支柱Ｓに対し止着される足場ユニット１について述べたが、支柱の径に応じて第１湾曲部の長手方向の長さ及び第２湾曲部の径が設定されていればよく、どのような径の支柱に対しても適用可能であることはいうまでもない。
【符号の説明】
【００４１】
１        足場ユニット
１０      足場ユニット本体
１１      第１湾曲部
１１１    第１湾曲部分
１２      底部片
１３      一側折曲片
１４      他側折曲片
１５      第２湾曲部
１７      外側寄り部分
２１      ボルト部材（締結部材）
２２      挿通孔
３１      一側折曲部（一側折曲片の反底部片側端）
３２      他側折曲部（他側折曲片の反底部片側端）
３３      リップ部
４        支持具
４１      脚部
４７      スリット
５１      切欠凹部
Ｈ        配管（長尺材）
Ｓ        支柱
【図１】
2019183395.tif 000003
【図２】
2019183395.tif 000004
【図３】
2019183395.tif 000005
【図４】
2019183395.tif 000006
【図５】
2019183395.tif 000007
【図６】
2019183395.tif 000008
【図７】
2019183395.tif 000009
【図８】
2019183395.tif 000010
【図９】
2019183395.tif 000011
【図１０】
2019183395.tif 000012
【図１１】
2019183395.tif 000013
【図１２】
2019183395.tif 000014
【図１３】
2019183395.tif 000015
【図１４】
2019183395.tif 000016
【図１５】
2019183395.tif 000017
【図１６】
2019183395.tif 000018
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
円形状の外周面を有する支柱に対し周方向から包囲した状態で止着する足場ユニットであって、
断面略コの字状に形成された足場ユニット本体を備え、
前記足場ユニット本体は、
前記支柱の外周面に押し当てた際にその支柱の外周面の略半円弧分に対し密着した状態で略半円弧の湾曲形状に塑性変形されるように前記足場ユニット本体の底部を長手方向へ延びる第１湾曲部を長手方向中間部に挟んだ状態で当該第１湾曲部の長手方向一側及び長手方向他側をそれぞれ長手方向へ延びる底部片と、
前記両底部片の短手方向一側辺よりそれぞれ略直角に折曲された一側折曲片と、
前記両底部片の短手方向他側辺より前記両一側折曲片と対向するようにそれぞれ略直角に折曲された他側折曲片と、
前記両一側折曲片及び前記両他側折曲片の第１湾曲部側端部にそれぞれ設けられ、前記第１湾曲部を塑性変形した際に残る前記支柱の外周面の残り略半円弧分のうちの略四分の一円弧分ずつに対し当該支柱の外周面に沿ってそれぞれ密着するように湾曲する第２湾曲部と、
を備えており、
前記両一側折曲片及び前記両他側折曲片は、前記支柱の半径と略一致する短手方向長さに設定され、
前記各第２湾曲部の近傍に位置する前記両底部片の第１湾曲部側端部には、前記第１湾曲部を塑性変形した際に前記両一側折曲片及び前記両他側折曲片の互いの反底部片側端同士を対峙させた状態で前記支柱の外周面に対し前記第１及び第２湾曲部を強固に密着させるように締め付ける締結部材を挿通する挿通孔が設けられていることを特徴とする足場ユニット。
【請求項２】
前記両一側折曲片は、前記第１湾曲部を塑性変形した際に、互いの反底部片側端を互いに向き合うように折曲させた一側折曲部を有し、かつその一側折曲部同士を対峙した状態で圧接させて足場としての機能を有している一方、
前記両他側折曲片は、前記第１湾曲部を塑性変形した際に、互いの反底部片側端を互いに向き合うように折曲させた他側折曲部を内側寄り部分に備えているとともに、その外側寄り部分において互いの反底部片側端同士を離間させた状態で前記両一側折曲片側へ折れ曲がるリップ部を備え、この両リップ部に対し脚部が係止された状態で前記両他側折曲片の短手方向へ延びる長尺材を支持する支持具の支持レールとしての機能を有している請求項１に記載の足場ユニット。
【請求項３】
前記両一側折曲片及び底部片の反第１湾曲部側端には、前記第１湾曲部を塑性変形した状態で短手方向に連続する切欠凹部が設けられている請求項１又は請求項２に記載の足場ユニット。
【請求項４】
前記第１湾曲部は、当該第１湾曲部を短手方向に複数の第１湾曲部分に分割するように長手方向へ延びるスリットを備えている請求項１〜請求項３のいずれか１つに記載の足場ユニット。
【手続補正２】
【補正対象書類名】明細書
【補正対象項目名】０００６
【補正方法】変更
【補正の内容】
【０００６】
前記目的を達成するため、本発明では、円形状の外周面を有する支柱に対し周方向から包囲した状態で止着する足場ユニットを前提とし、断面略コの字状に形成された足場ユニット本体を備える。更に、前記足場ユニット本体に、前記支柱の外周面に押し当てた際にその支柱の外周面の略半円弧分に対し密着した状態で略半円弧の湾曲形状に塑性変形されるように前記足場ユニット本体の底部を長手方向へ延びる第１湾曲部を長手方向中間部に挟んだ状態で当該第１湾曲部の長手方向一側及び長手方向他側をそれぞれ長手方向へ延びる底部片と、前記両底部片の短手方向一側辺よりそれぞれ略直角に折曲された一側折曲片と、前記両底部片の短手方向他側辺より前記両一側折曲片と対向するようにそれぞれ略直角に折曲された他側折曲片と、前記両一側折曲片及び前記両他側折曲片の第１湾曲部側端部にそれぞれ設けられ、前記第１湾曲部を塑性変形した際に残る前記支柱の外周面の残り略半円弧分のうちの略四分の一円弧分ずつに対し当該支柱の外周面に沿ってそれぞれ密着するように湾曲する第２湾曲部と、を備える。そして、前記両一側折曲片及び前記両他側折曲片を、前記支柱の半径と略一致する短手方向長さに設定し、前記各第２湾曲部の近傍に位置する前記両底部片の第１湾曲部側端部に、前記第１湾曲部を塑性変形した際に前記両一側折曲片及び前記両他側折曲片の互いの反底部片側端同士を対峙させた状態で前記支柱の外周面に対し前記第１及び第２湾曲部を強固に密着させるように締め付ける締結部材を挿通する挿通孔を設けることを特徴としている。
【手続補正３】
【補正対象書類名】明細書
【補正対象項目名】００１０
【補正方法】変更
【補正の内容】
【００１０】
以上、要するに、支柱の外周面の略半円弧分に対し密着するように足場ユニット本体の底部片の長手方向中間部の第１湾曲部を支柱の外周面に押し当てた際に略半円弧の湾曲形状に塑性変形しておくことで、可撓性を有する巻回ベルトに高所で手を添えながら支柱に回す作業が不要となる。その上、支柱の半径と略一致する短手方向長さの両一側折曲片及び両他側折曲片の反底部片側同士を対峙させた状態で両底部片の第１湾曲部側端部の挿通孔に挿通した締結部材により締め付ければ、第１湾曲部並びに両一側折曲片及び両他側折曲片の第２湾曲部同士がそれぞれ強固に密着するので、巻回ベルトの他端を巻取操作具に対し巻き取り可能に係合させる作業も不要となる。これにより、支柱に対し足場ユニットを周方向から止着する作業が簡単かつ容易に行えることになり、足場ユニットを支柱に対し止着する際の作業効率の向上を図ることができる。
【手続補正４】
【補正対象書類名】明細書
【補正対象項目名】００１８
【補正方法】変更
【補正の内容】
【００１８】
図２〜図６にも示すように、足場ユニット本体１０は、当該足場ユニット本体１０の底部を長手方向（図２〜図５では左右方向）へ延びる第１湾曲部１１と、この第１湾曲部１１を長手方向中間部に挟んだ状態で当該第１湾曲部１１の長手方向一側及び長手方向他側をそれぞれ長手方向へ延びる底部片１２，１２とを備えている。第１湾曲部１１は、円形状の外周面を呈する支柱Ｓ（後述する対象物）に対し押し当てた際に当該支柱Ｓの外周面に則して容易に湾曲形状に塑性変形し易い平板状に形成され、支柱Ｓの外周面に押し当てた際に当該支柱Ｓの外周面の略半円弧分に対し密着するように半円弧の湾曲形状に塑性変形される。